(57)【要約】      （修正有）【課題】殺菌効果と共にこの加湿器を使用することにより森林浴効果があり、身体に好影響を与え、かつ殺菌効果により内部の多湿壁に細菌の繁殖が抑制される効果がある、加湿器を提供する。【解決手段】消費量宛給水する給水手段と、通水によるマイナスイオン発生手段と、超音波振動による霧化手段と、霧化手段により発生した霧化気体の放出手段を組み合わせたことを特徴とする。【選択図】図１
0003100873.tif 000002
【実用新案登録請求の範囲】
【請求項１】
消費量宛給水する給水手段と、通水によるマイナスイオン発生手段と、超音波振動による霧化手段と、霧化手段により発生した霧化気体の放出手段を組み合わせたことを特徴とする加湿器。
【請求項２】
水を入れたボトルを倒置し、水位により消費水量を給水する給水手段の給水の通水路に、マイナスイオン発生フィルタをセットし、前記通水路の終端に磁歪による超音波発生器を底部へセットした霧化室を連設し、該霧化室の上部に放霧筒を設けたことを特徴とする加湿器。
【請求項３】
マイナスイオン発生フィルタは取り換え自在としたことを特徴とする請求項２記載の加湿器。
【請求項４】
マイナスイオン発生フィルタは、通水筒中にサンゴイオン抗菌材又はトルマリン粒を収容したことを特徴とする請求項２記載の加湿器。
【考案の詳細な説明】
【技術分野】
【０００１】
この考案は、水を超音波振動により霧化し、これを放出することを目的とした加湿器に関する。
【背景技術】
【０００２】
従来水を霧化して、室内に放出し、室内空気を加湿して乾燥を防止することを目的とした加湿器は、色々の構造が使用されている。水を霧化するのに霧吹方式は広く使用されており、近時超音波振動を利用して超微細霧化も試みられている。
【特許文献１】特開２０００−２２７２３９
【考案の開示】
【考案が解決しようとする課題】
【０００３】
前記従来の加湿器は、長期間使用すると、水又は霧化気体の接触部に細菌が繁殖し、却って空気中へ細菌を振り撒く結果を生じるおそれがあった。そこで、従来の加湿器は使用の都度入念な洗浄を必須要件とする問題点があった。
【課題を解決するための手段】
【０００４】
この考案は、加湿器の通水路に、マイナスイオン抗菌フィルタを介装し、霧化前の水を殺菌すると共に、マイナスイオンを発生させて、霧化微粒子と共に放出し、前記従来の問題点を解決したのである。
【０００５】
この考案は、消費量宛給水する給水手段と、通水によるマイナスイオン発生手段と、超音波振動による霧化手段と、霧化手段により発生した霧化気体の放出手段を組み合わせたことを特徴とする加湿器である、水を入れたボトルを倒置し、水位により消費水量を給水する給水手段の給水の通水路に、マイナスイオン発生フィルタをセットし、前記通水路の終端に磁歪による超音波発生器を底部へセットした霧化室を連設し、該霧化室の上部に放霧筒を設けたことを特徴とする加湿器である。
【０００６】
また、マイナスイオン発生フィルタは取り換え自在としたことを特徴とするものであり、マイナスイオン発生フィルタは、通水筒中にサンゴイオン抗菌材又はトルマリン粒を収容したことを特徴とするものである。
【０００７】
この考案における超音波霧化は、１６キロサイクル以上の周波数の磁歪発生器を使用しているので、長期間同一性能を保有し得ると共に、超微粒霧化を達成しており、空気中へ放出されても、長く浮遊して沈降するおそれがなく、空気中に拡散し、その湿度を均質に保有することができる。
【考案の効果】
【０００８】
この考案で使用する抗菌フィルタは、通水孔を有する筒体内へ、サンゴ粒又はトルマリン粒を充填したものであって、毎時１リットルの水を通過させた場合に、１０００時間以上の有効期間がある。
【０００９】
前記トルマリンは、吸湿により多量のマイナスイオンを発生するので、殺菌効果と共にこの加湿器を使用することにより森林浴効果があり、身体に好影響を与え、かつ殺菌効果により内部の多湿壁に細菌の繁殖が抑制される効果がある。
【００１０】
この考案によれば、超音波を使用した霧化であるから、粒子が微細となり、空気中へ浮遊した場合に、容易に拡散し、均質の空気となる効果がある。
【考案を実施するための最良の形態】
【００１１】
この考案は、消費水量（霧化水量）に対応して自動給水するので、発生する霧化量が変動しても給水制御をする必要がない。
【００１２】
また、前記給水を全部抗菌フィルタを通過させるので、給水は完全殺菌処理され、長時間の連続使用に際し、最近が増殖するおそれがないので、洗浄等を入念にする必要がない。
【００１３】
次に前記抗菌（殺菌）は、マイナスイオンの発生により行われるので、必然的に霧化粒子はマイナスイオン化されており、森林浴と同一効果が期待できる。
【００１４】
然して霧化に超音波を使用するので、霧化は超微粒化して室内空気に均等拡散し、沈降のおそれがなく、特別の操作なく均質加湿空気となる。
【実施例】
【００１５】
この考案の実施例を図１、２、３に基づいて説明する。合成樹脂製で直方体状の本体１の右側（図１）へ霧化室２を設け、該霧化室２の底部に超音波発信板３を臨ませる。
【００１６】
また前記本体１の左側へ水容器（以下、ボトル４という）の設置室５を設け、該設置室５の底部へ弁体の開放杆６を突設してある。前記霧化室２と設置室５の底部とは底板７で連結されて、水路８を形成している。
【００１７】
前記水路８にはマイナスイオンの発生器９が載置され、蓋板１５から垂下した隔板１１により流動水は全部前記発生器９内を通過するように構成してある。
【００１８】
前記本体１には、左側にボトル４の設置室５を嵌装するボトル支持筒１２を有し、右側（図１、３（ａ））に霧化気体の放霧筒１３の嵌着筒１４を有する蓋板１５を嵌着し、かつ本体１の下部へ底匣１６を嵌着してこの考案の加湿器２０を構成した。図中１０はセンサー、１７は底匣１６内へ設置した制御系その他の電気器具（配線を含む）、１８はスイッチ、１９はランプである（図２）。
【００１９】
前記ボトル４はボトル支持筒１２の内筒２１に螺合している。前記内筒２１には弁座板２２が固定され、弁座板２２の中央孔へ弁体２３を嵌脱自在に嵌着し、弁体２３の中央へ固定した弁杆２４の下端頭２４ａと、止片２５との間にスプリング２６を介装したものである。
【００２０】
前記構造により、下端頭２４ａに開放杆６の上端が当接すれば、弁杆２４はスプリング２６を圧縮して上昇し、弁体２３を開いて水が注出されるようになっている。但し水が水位３３に達すると給水が自動停止する。
【００２１】
前記実施例において、ボトル４を内筒２１に螺合させた後、蓋板１５を本体１位にセットすると（図１）、前記のように開放杆６が下端頭２４ａを上方へ押すので、弁杆２４がスプリングに抗して上昇し、弁体２３を開く。そこでボトル４内の水は矢示２７のように下降し、水路８を矢示２８のように流動し、発生器９内のサンゴ粒２９を通過し（図４）、矢示３０のように流れて霧化室２に入る。そこでスイッチ１８を入れると、磁歪により振動板３が超音波振動し、霧化室内の水を霧化するので、霧の微粒子は矢示３１のように上昇し、放霧筒１３を経て矢示３２のように室内へ放散される。
【００２２】
前記において、本体１内に電気器具の冷却ファン（図示していない）がセットされ、冷却のための流動空気が霧化室２に入るので、この空気により霧粒子は積極的に本体外へ吹き出されることになる。
【００２３】
前記において、給水はサンゴ粒２９を通過するので、マイナスイオンを発生し、霧化室２内へ充満するので、マイナスイオンは霧粒子と共に室内へ放散され、人体に対し森林浴効果を与える。
【００２４】
前記における発生器９はマイナスイオンを発生させる為のもので、例えばトルマリンを充填しても同様の効果がある。また発生器９は、その効力低下時に取り換えることができる。
【図面の簡単な説明】
【００２５】
【図１】この考案の実施例の一部を省略した断面図。
【図２】同じく正面図。
【図３】（ａ）同じく蓋板（ボトル付き）の正面図。
【００２６】
（ｂ）同じく蓋板を外した平面図。
【図４】（ａ）同じく発生器の斜視図。
【００２７】
（ｂ）同じく断面図。
【符号の説明】
【００２８】
１  本体
２  霧化室
３  超音波発信板
４  ボトル
５  設置室
６  開放杆
７  底板
８  水路
９  発生器
１０  蓋板
１１  隔板
１２ボトル支持筒
１３  放霧筒
１４  嵌着筒
１５  蓋板
１６  底匣
１８  スイッチ
２０  加湿器
【図１】
0003100873.tif 000003
【図２】
0003100873.tif 000004
【図３】
0003100873.tif 000005
【図４】
0003100873.tif 000006